(57)【特許請求の範囲】
【請求項１】
釣糸が導通されるガイドリングが圧入されて内嵌された嵌合孔を有するリング保持部を備える釣竿用導糸環において、
前記リング保持部の嵌合孔の孔縁は円弧径の中心点が一致し、且つその中心線が長径をなして対向する２つの同心円弧部分を有する長円形をなし、しかも、前記各同心円弧部分には内方に向かって突出する圧入突起が形成されている、
ことを特徴とする釣竿用導糸環。
【請求項２】
請求項１に記載した釣竿用導糸環において、同心円弧部分のうち少なくとも一部には圧入突起の形成されていない非形成部分が存在することを特徴とする釣竿用導糸環。
【請求項３】
請求項２に記載した釣竿用導糸環において、対向する２つの同心円弧部分にはそれぞれ圧入突起の形成されていない非形成部分が存在することを特徴とする釣竿用導糸環。
【請求項４】
請求項１から３のいずれかに記載した釣竿用導糸環において、対向する２つの同心円弧部分の円弧径は同じであることを特徴とする釣竿用導糸環。
【請求項５】
請求項１から４のいずれかに記載した釣竿用導糸環において、孔縁には同心円弧部分の中心線を挟んで平行に直線状に延びる２つの直線部分が含まれていることを特徴とする釣竿用導糸環。
【請求項６】
請求項５に記載した釣竿用導糸環において、２つの直線部分には圧入突起が形成されていないことを特徴とする釣竿用導糸環。
【発明の詳細な説明】
【技術分野】
【０００１】
本発明は、外通し型の釣竿用導糸環や両軸受リールのレベルワインド案内環として使用されるガイドリングに関するものである。
【背景技術】
【０００２】
外通し型の釣竿用導糸環は、通常、硬質なガイドリングと、該ガイドリングが内嵌されたリング保持部と、該リング保持部を竿体に取り付けるための取付部とから構成されている。
そして、従来は、ガイドリングはリールから引き出された釣糸をスムーズに案内するために真円形に形成され、且つ竿軸方向に対して垂直に立った姿勢で竿体に取り付けられているものが多かった。
しかしながら、その場合にはガイドリング保持部が竿体に対して垂直に立った姿勢となるので、一旦糸絡みが発生すると容易には解除できない。
【０００３】
そのため、最近では糸絡みが発生しても容易に解除できるように、竿先側に対して倒れ方向に傾斜した状態で竿体に取り付けるタイプの釣竿用導糸環が提案されている。
このタイプの釣竿用導糸環では、釣糸をスムーズに案内するために、竿軸方向にガイドリングの導通孔を見た場合の見かけ形状が略真円形となるように、該ガイドリングの導通孔は長円形となっている。また、釣糸用ガイド部材の軽量化を図るために、ガイドリングの外周縁は通常導通孔と相似形に形成されている。
【０００４】
【特許文献１】特開平１０−１３６８４０号公報
【発明の開示】
【発明が解決しようとする課題】
【０００５】
ところで、ガイドリングの素材には高い磨耗性と小さい摩擦抵抗を共に備えることが要求されているので、通常はセラミックなどの硬質材料が使用されている。
一方、リング保持部は取付部と共に、通常、一枚の金属製板状材からプレス成形により一体に形成されている。
従って、異種の硬度材料からなるガイドリングをガイドリング保持部の嵌合孔に圧入して内嵌することになるが、圧入時に嵌合孔の孔縁面全体が接合面となって圧入荷重がかかると、少しの圧入代でも大きな圧入荷重を伴う。大きな圧入荷重を伴うと、セラミックは靭性が低いためガイドリングに割れが発生し、歩留まりが大幅に低下する。
【０００６】
そのため、接合面での圧入荷重の増大を抑えることができる圧入構造として、特許文献１に示すように、リング保持部の嵌合孔の孔縁に圧入突起を形成して、ガイドリングとリング保持部とが部分的に接合したものが製造されている。
ところで、図９（１）に示すように、特許文献１の圧入突起はリング保持部１０１の嵌合孔の長円形の孔縁のうち円弧部分１０３ではなく、左右両側の直線部分１１０に形成されていた。それは以下の理由による。
図９（１）に示すように、ガイドリング１０７の外周縁は長円形の導通孔に対応してそれと相似形の長円形（円弧径：ｒ０、円弧の原点Ｏ、中心点ｐ）に設定されているので、中心点（ｐ）からガイドリング１０７の外周縁のうち円弧部分１０９までの距離は同じではない。例えば、図９（１）に示す正常内嵌め状態で、中心点（ｐ）から右上の圧入突起１０５に当たっている円弧弧部分１０９までの距離を（ａ）とし、その若干左側の円弧部分１０９までの距離を（ｘ）とすると、ｘ＞ａとなる。また、中心点（ｐ）から右下の圧入突起１０５に当たっている円弧弧部分１０９までの距離を（ｂ）とし、その若干上側の円弧部分１０９までの距離を（ｙ）とすると、ｂ＞ｙとなる。
従って、図９（２）のように圧入角度がずれると、右上（及び左下）の圧入突起１０５には距離（ａ）より大きい距離（ｘ）の円弧部分１０９が当たることになり、その部分では圧入荷重が所定以上に大きくなり、ガイドリングが割れることがある。それとは逆に、右下（及び左上）の圧入突起１０５には距離（ｂ）より小さい距離（ｙ）の円弧部分１０９が対向することになり、円弧部分１０９と圧入突起１０５の間に場合によっては隙間が生じる。このように嵌合いのバランスが崩れると、所望の嵌合強度が得られないだけでなく、ガイドリングが割れたり、保持部１０１が変形するなど、製品の歩留まりが下がってしまう。
【０００７】
そのため、リング保持部１０１の円弧部分１０３がアーチ形状効果による強度的には最も変形しにくい部分であるので、この部分に圧入突起１０５を形成するのが望ましいが、上記理由によりこの部分には圧入突起１０５が形成できずにいた。
その結果として、リング保持部１０１の変形し易い直線部分１１０付近に衝撃などが加わるとガイドリング１０７がガイド保持部１０１から容易に外れたり、割れたり、する問題があった。
上記した課題は、外通し型の釣竿用導糸環に限らず、両軸受リールのレベルワインド案内環として使用されるものにも共通して内在していたものである。
それ故、本発明は、上記課題を解決するために、釣糸が導通される長円形のガイドリングが内嵌された嵌合孔を有するリング保持部を備える釣竿用導糸環において、リング保持部の嵌合孔の孔縁のうち円弧部分に圧入突起が形成されても、上記したような圧入時の不都合が無いものを提供することを目的とする。
【課題を解決するための手段】
【０００８】
上記課題を達成するために、請求項１の発明は、釣糸が導通されるガイドリングが圧入されて内嵌された嵌合孔を有するリング保持部を備える釣竿用導糸環において、前記リング保持部の嵌合孔の孔縁は円弧径の中心点が一致し、且つその中心線が長径をなして対向する２つの同心円弧部分を有する長円形をなし、しかも、前記各同心円弧部分には内方に向かって突出する圧入突起が形成されている、
ことを特徴とする釣竿用導糸環である。
【０００９】
請求項２の発明は、請求項１に記載した釣竿用導糸環において、同心円弧部分のうち少なくとも一部には圧入突起の形成されていない非形成部分が存在することを特徴とする釣竿用導糸環である。
【００１０】
請求項３の発明は、請求項２に記載した釣竿用導糸環において、対向する２つの同心円弧部分にはそれぞれ圧入突起の形成されていない非形成部分が存在することを特徴とする釣竿用導糸環である。
【００１１】
請求項４の発明は、請求項１から３のいずれかに記載した釣竿用導入環において、対向する２つの同心円弧部分の円弧径は同じであることを特徴とする釣竿用導糸環である。
【００１２】
請求項５の発明は、請求項１から４のいずれかに記載した釣竿用導糸環において、孔縁には同心円弧部分の中心線を挟んで平行に直線状に延びる２つの直線部分が含まれていることを特徴とする釣竿用導糸環である。
請求項６の発明は、請求項５に記載した釣竿用導糸環において、２つの直線部分には圧入突起が形成されていないことを特徴とする釣竿用導糸環である。
【発明の効果】
【００１３】
本発明の釣竿用導糸環によれば、リング保持部の嵌合孔の孔縁のうち円弧部分に圧入突起が形成されているが、圧入角度が若干ずれても、所定の圧入荷重でバランス良く嵌合できる。従って、結果的に、直線部分に圧入突起を形成した場合より、高い固定強度でガイドリングをガイド保持部に固定された製品を歩留まり高く作り出すことができる。
【発明を実施するための最良の形態】
【００１４】
本発明の第１の実施の形態に係る釣竿用導糸環１を、図面に従って説明する。
図１、図２に示すように、この釣竿用導糸環１は外通し型であり、竿体３の外周面５に取り付けられている。
釣竿用導糸環１のガイドリング７は釣糸（Ｓ）が導通される導通孔８を有し、リング保持部１１にはガイドリング７が内嵌される嵌合孔９を有している。さらに、釣竿用導糸環１には、リング保持部１１と、竿体３の外周面５に取り付けられる取付部としての取付足１３が備えられている。
ガイドリング７はセラミック等の硬質材料で形成されている。
【００１５】
リング保持部１１と取付足１３は、１枚の金属製の平面的な板状材から一体的に形成されている。先ずプレス加工により所定のフレーム形状に打ち抜かれ、更に曲げ加工が施されて所定の立体形状に成形されている。
取付足１３は竿体３の外周面５に着座させた状態で固定される。また、リング保持部１１は取付足１３から立上るように位置している。リング保持部１１は取付足１３が取り付けられる竿体３の竿先側へ向けて傾倒している。
そして、図示は省略するが、取付足１３が竿体３の外周面５に当接された後に、取付足１３の外周面を覆うように、ガイド固定糸が巻かれた後、接着剤樹脂が含浸されて固定される。
【００１６】
以下、ガイドリング７とリング保持部１１の寸法及び位置関係を、ガイドリング７の形成・リング保持部１１への内嵌め工程に従って説明する。
ガイドリング７は長円形をなしており、長円形の導通孔８が設けられている。そして、リング保持部１１の嵌合孔９の孔縁１９も長円形をなしており、ガイドリング７の外周縁１７より若干大きいが、互いに相似形になっている。
【００１７】
先ず、図３（１）に示すように、真円形のリングガイド素材に先ず釣糸（Ｓ）が通る導通孔８を形成する。この導通孔８の大きさを画定する内周縁１５は長円形をなしている。ガイドリング７の内周縁１５の長円形の直線部分の長さは、リング保持部１１の傾斜角度に対応して決定する。決定された長円形の長軸を長軸Ｌ、短軸を短軸Ｓと定義する。
次に、図３（２）に示すように、この真円形の素材の左右両側部分を導通孔８の内周縁１５の直線部分に平行に除去し、さらに、図３（３）に示すように、円弧部分と直線部分との間の部分に丸みを付けるために、四隅を除去し、丸み部分２５を形成する。図３（３）で丸みを付けたために、最終的な同心円弧部分２３は図３（２）での同心円弧部分より若干小さくなっている。
【００１８】
このようにして得られたガイドリング７の外周縁１７は、内周縁１５と似た形状ではあるが、厳密には相似形になっていない。
ガイドリング７の外周縁１７の各円弧部分２１と各直線部分２７は長軸（Ｌ）および短軸（Ｓ）の両軸方向において線対称になっている。各円弧部分２１は、同心円弧部分２３とその両側端部に位置する小さい丸み部分２５とからなっている。
同心円弧部分２３の中心線は長軸（Ｌ）上にあり、長径をなしている。また、対向する同心円弧部分２３の中心点ｐと円弧径ｒは一致している。
丸み部分２５は同心円弧部分２３から直線部分２７に滑らかに移行するように合計して４箇所形成されたものであり、その円弧径はいずれも同じである。
２つの直線部分２７は長軸（Ｌ）に対して互いに平行に、即ち等距離だけ離間して直線状に延びている。その中心線は短軸（Ｓ）上にあり、中心点ｐと交わっている。
【００１９】
図３（５）に示す様に、リング保持部１１の嵌合孔９の孔縁１９は、上記したガイドリング７の外周縁１７と相似形になっている。即ち、孔縁１９のうち、ガイドリング７が内嵌められたときに、その同心円弧部分２３が対向する部分が同心円弧部分２８となっている。
符号２９は圧入突起を示す。この圧入突起２９はリング保持部１１の嵌合孔９の孔縁１９のうち同心円弧部分２８から内方に向かって突出するように形成されている。
各圧入突起２９は略台形をしており、内方側が若干幅狭になっている。圧入突起２９は、同じ寸法のものが、各同心円弧部分２８に２個ずつ、合計４個互いに離間して形成されている。
圧入突起２９は、長軸（Ｌ）および短軸（Ｓ）の両軸方向において線対称に互いに離間して形成されている。従って、同心円弧部分２８のうち圧入突起２９の形成されていない部分、即ち非形成部分は、図３（６）に示す様に圧入突起２９側から見ると凹部３１となる。
また、孔縁１９のうちその余の直線部分及びその両端の丸み部分も同様に凹部３３となる。
【００２０】
図３（５）、（６）に示すように、ガイドリング７をリング保持部１１に圧入すると、ガイドリング７の同心円弧部分２３が圧入突起２９を外方に向けて押圧して圧入突起２９の間に収まる。嵌合時には、リング保持部１１が若干外方に膨らむ。  
凹部３１、３３は圧入時の逃げ部となり、圧入突起２９に掛かる圧入荷重はより低くなるので、圧入代をなす圧入突起２９の突出高さ寸法を高精度に出す必要がなくなる。
【００２１】
図３（６）は正確な圧入角度でガイドリング７が圧入されたときの状態を示しているが、同心円弧部分２３では中心点ｐからガイドリング７の外周縁１７までの距離はどこでも同じなので、ガイドリング７の圧入時に圧入角度が若干ずれても、図４に示すように、外周縁１７がリング保持部１１の凹部３３の底部の孔縁１９に接触するまでは圧入荷重は変化しない。
従って、ガイドリング７の圧入角度が若干ずれても、リング保持部１１にバランス良く内嵌めできる。
なお、図示は省略するが、圧入してガイドリング７を内嵌した後に、接合面を覆うように接着剤を塗布して補強する。
【００２２】
本発明の第２〜６の実施の形態に係る外通し型釣竿用導糸環を、図５に示す。
これらは、第１の実施の形態に係るものと、圧入突起の幅形状や配置位置や形成数が異なるだけであり、相違点に絞って説明する。
図５（１）は、上方の同心円弧部分に関して、その中間点に１個だけ圧入突起４１が形成されている点が異なる。
図５（２）は、下方の同心円弧部分に関して、その中間点に１個だけ圧入突起４３が形成されている点が異なる。
図５（３）は、下方の同心円弧部分に関して、その部分全体にわたって大きい１個の圧入突起４５が形成されている点が異なる。
図５（４）は、上方の同心円弧部分に関して、その部分全体にわたって大きい１個の圧入突起４７が形成されている点が異なる。
図５（５）は、上方および下方の両方同心円弧部分に関して、その部分全体にわたって大きい１個の圧入突起４５、４７がそれぞれ形成されている点が異なる。
上記したように、嵌合バランスが取れれば、圧入突起の形状や配置位置や形成数は特に限定されない。
【００２３】
本発明の第７の実施の形態に係る外通し型釣竿用導糸環に使用できる第1の種類のガイドリング４９を、図６（１）に示す。
第１の実施の形態に係るガイドリング７との相違点に絞って説明する。
対向する直線部分５０は長軸（Ｌ）に互いに平行にではなく、上方に行くほど互いに接近するように山状に形成されている。
このようにガイドリング４９の外周縁を形成すれば、相似するリング保持部の孔縁の直線部分も山状に形成でき、結果としてリング保持部の外周部も山状に形成できるので、糸絡みが発生しても一層容易に解除することができる。
本発明の第７の実施の形態に係る外通し型釣竿用導糸環に使用できる第２の種類のガイドリング５１を、図６（２）に示す。
第１の実施の形態に係るガイドリング７との相違点に絞って説明する。
対向する同心円弧部分の円弧径は同じではなく、上方の同心円弧部分の円弧径ｒより下方の同心円弧部分の円弧径ｒ’の方が大きく、相似するリング保持部５２の嵌合孔の孔縁の対向する同心円弧部分も、上方の同心円弧部分の円弧径より下方の同心円弧部分の円弧径の方が大きくなるが、各同心円弧部分は１つの円弧径により構成されているので、第1の実施の形態と同様に、ガイドリング５１の圧入時に圧入角度が若干ずれても、所定の圧入荷重でバランス良く嵌合できる。
【００２４】
本発明の第８、９の実施の形態に係る外通し型釣竿用導糸環に使用できるガイドリング５７、６２を、図７に示す。
図７（１）に示すガイドリング５７は、真円形外周縁５３を有するリングガイド素材の左右両側部を細長い長円形の導通孔５４に合わせて切断して、直線部分５５を形成し、さらに直線部分５５と真円形外周縁５３との間の鋭角部分を除去して丸み部分５６を設けたものである。
図７（２）に示すガイドリング６２は、真円形外周縁５３を有するリングガイド素材の左右両側部を真円形に近い長円形の導通孔５９に合わせて切断して、直線部分６０を形成し、さらに直線部分６０と真円形外周縁５３との間の鋭角部分を除去して丸み部分６１を設けたものである。
このように、同じ寸法のガイドリング素材から、中心点ｐから直線部分５５、６０までの距離を調整することで、導通孔５４、５９の形状に合わせたガイドリング５７、６２を製造できる。
【００２５】
本発明の第１０の実施の形態に係る両軸受リールの案内環７３を、図８に従って説明する。
図８に示す両軸受リール７１は、リール本体の側板間に回転自在に支持されたスプールに釣糸を平行に巻いたり、繰り出したりするものであり、ハンドルの回転に連動して左右に往復するレベルワインドと呼ばれる案内環７３が設けられている。
この案内環７３は釣糸が導通されるガイドリング７５と、リング保持部７７とを備えており、ガイドリング７５はリング保持部７７の嵌合孔７９に内嵌めされている。ガイドリング７５やリング保持部７７は第１の実施の形態と同様の部材で形成される。
案内環７３は、スプールの糸巻量により、繰り出し時あるいは巻き取り時に釣糸の高さが変化する為、長円形になっている。
従って、このガイドリング７５の外周縁やリング保持部７７の嵌合孔７９の孔縁の形状と、圧入突起８１の配置場所を第１の実施の形態と同様の方針で設定することにより、同様の効果を達成できる。
【００２６】
以上、本発明の実施の形態を説明したが、本発明の具体的構成は上記の実施の形態に限定されるものではなく、本発明の要旨から外れない範囲での設計変更があっても本発明に含まれる。
例えば、ガイドリングの断面形状は特に限定されない。
また、第１の実施の形態では、取付足は先端側で２つに分かれているが、分かれずにそのままリング保持部に到達するものでもよい。あるいは、取付足を筒状に形成し、振出竿用筒型ガイドとしてもよい。
また、所謂ブリッジタイプの釣糸用ガイドに適用することもできる。
さらに、リング保持部は現在のところは大部分が１枚の金属製の板材フレームからプレス加工等により一体的に形成されているが、本発明は形状に特徴を有するものであるから、別の製法、例えば鋳造、鍛造、ロストワックス、射出形成等によるものでもよいし、また、ラインガイド用フレームを構成するリング保持部等の各部位を２以上の部材により形成してもよい。
いずれにしても、特許請求されている形状等を除いては、従来からあるまたは将来案出される形状や製造を任意に組み合わせることができる。
【産業上の利用可能性】
【００２７】
本発明の釣糸用導糸環によれば、高い固定強度でガイドリングをガイド保持部に内嵌した製品を歩留まり高く作り出すことができる。
【図面の簡単な説明】
【００２８】
【図１】本発明の第１の実施の形態に係る釣糸用ガイドの斜視図である。
【図２】図１の釣糸用ガイドの断面図である。
【図３】図１の釣糸用ガイドのガイドリングの形成・内嵌め工程の説明図である。
【図４】図１の釣糸用ガイドの嵌め合い状態の説明図である。
【図５】本発明の第２〜６の実施の形態に係る釣糸用ガイドの説明図である。
【図６】本発明の第７の実施の形態に係るガイドリングの説明図である。
【図７】本発明の第８、９の実施の形態に係るガイドリングの説明図である。
【図８】本発明の第１０の実施の形態に係るレベルワインド案内環の平面図である。
【図９】従来の釣糸用ガイドの平面図である。
【符号の説明】
【００２９】
１‥‥釣竿用導糸環                    
３‥‥竿体                            ５‥‥外周面
７‥‥ガイドリング                    ８‥‥導通孔
９‥‥嵌合孔                        １１‥‥リング保持部  
１３‥‥取付足
１５‥‥内周縁（ガイドリング）        １７‥‥外周縁（ガイドリング）
１９‥‥孔縁（リング保持部の嵌合孔）                
２１‥‥円弧部分（ガイドリング）      ２３‥‥同心円弧部分（ガイドリング）
２５‥‥丸み部分（ガイドリング）      ２７‥‥直線部分（ガイドリング）
２８‥‥同心円弧部分（リング保持部）  ２９‥‥圧入突起
３１‥‥凹部                          ３３‥‥凹部
４１、４３、４５、４７‥‥圧入突起
４９‥‥ガイドリング                  ５０‥‥直線部分
５１‥‥ガイドリング                  ５２‥‥リング保持部
５３‥‥真円形外周縁                  ５４‥‥導通孔
５５‥‥直線部分                      ５６‥‥丸み部分
５７‥‥ガイドリング
５８‥‥真円形外周縁                  ５９‥‥導通孔
６０‥‥直線部分                      ６１‥‥丸み部分
６２‥‥ガイドリング
７１‥‥両軸受リール                  ７３‥‥案内環（レベルワインド）    
７５‥‥ガイドリング                  ７６‥‥導通孔
７７‥‥リング保持部                  ７９‥‥嵌合孔  
８１‥‥圧入突起
L‥‥長軸          Ｓ‥‥短軸
ｐ‥‥中心点        ｒ‥‥円弧径      Ｏ‥‥原点 
【図１】
0004616204.tif 000002
【図２】
0004616204.tif 000003
【図３】
0004616204.tif 000004
【図４】
0004616204.tif 000005
【図５】
0004616204.tif 000006
【図６】
0004616204.tif 000007
【図７】
0004616204.tif 000008
【図８】
0004616204.tif 000009
【図９】
0004616204.tif 000010